(57)【要約】【課題】台枠と前面枠と前面パネルを組み合わせて外郭を構成するとともに、運転状態を可動する光で表示する表示材を備えている室内ユニットにおいて、長範囲の光可動による表示部構成を可能とし、デザイン性に優れ、またコストの抑制を図った前面パネルの提供を可能とすること。【解決手段】前面パネル３に表示材４に相対する位置に開口部６を設け、前記開口部６の裏面に透明シート７を貼付け、表面に導光部を設けた飾り台８を貼付けたことを特徴とする。【選択図】図３
2006266600.tif 000002
【特許請求の範囲】
【請求項１】
台枠と前面枠と前面パネルを組み合わせて外郭を構成するとともに、運転状態を可動する光で表示する表示材を備えており、かつ前記前面パネルに前記表示材に相対する位置に開口部を設け、前記開口部裏面に透明のシートを貼付け、表面に導光部を設けた飾り台を貼付けたことを特徴とする空気調和機の室内ユニット。
【請求項２】
前面パネルの開口部の裏面に透明シートを貼付けるとともに、透明樹脂で成形した導光材をはめ込み、表面に導光部を設けた飾り台を貼付けたことを特徴とする請求項１記載の空気調和機の室内ユニット。
【請求項３】
前面パネルの開口部裏面の透明シートおよび、表面の飾り台の裏面に両面テープを用いて、光を拡散させた事を特徴とする請求項２記載の空気調和機の室内ユニット。
【請求項４】
前面パネルの開口部裏面の端部に凸リブを設け、その内側に長方形の透明シートを貼付けたことを特徴とする請求項１記載の空気調和機の室内ユニット。
【発明の詳細な説明】
【技術分野】
【０００１】
本発明は、空気調和機に関し、さらに詳しくは空気調和機の室内ユニットの構成に関するものである。
【背景技術】
【０００２】
従来、空気調和機の室内ユニットは装置の稼動状態を表示部により表示させている（例えば、特許文献１参照）。
【０００３】
従来の空気調和機の室内ユニットについて図面を参照しながら説明する。
【０００４】
従来の空気調和機の室内ユニットは、図７、８に示すように、台枠１と前面枠２と前面パネル３を組み合わせて外郭を構成するとともに、前面パネル３には、光で運転状態を表示する表示部５ａを備えており、前面パネル３に光を通す開口部６ａとカザリダイ８ａを固定するための引っ掛け部１１を設け、飾り台８ａには前面パネルの引っ掛け部１１に相対する位置に爪形状１２を設け固定し、表示部５ａを構成している。
【特許文献１】特開２０００−１９３２６８号公報
【発明の開示】
【発明が解決しようとする課題】
【０００５】
しかしながら、前記従来の構成では、長い範囲で光を可動させる場合、前面パネル３の開口部６ａの範囲も長くせねばならず、前記前面パネル３の開口部６ａに飾り台８ａを爪固定するだけでは、前記前面パネル３や前記飾り台８ａのたわみによって、爪固定部がはずれやすいといった課題を有していた。また、前記前面パネルの開口部につなぎ形状を設けたとしても、その部分が光を通さずデザイン性を損ねるといった課題を有していた。
【０００６】
本発明は、前記従来の課題を解決するもので、長範囲の光可動による表示部構成を可能とし、デザイン性に優れた前面パネルを提供するものである。
【０００７】
また、本発明は、光表示部に開口部を設けることで透明材より安い不透明材での成形を可能とし、コスト増加の抑制を図るものである。
【課題を解決するための手段】
【０００８】
前記従来の課題を解決するために、本発明の空気調和機の室内ユニットは、前面パネルに表示材に相対する位置に開口部を設け、前記開口部裏面に透明のシートを貼付け、表面に導光部を設けた飾り台を貼付けたことを特徴とするものである。
【０００９】
上記の構成によって、長範囲の光可動による表示部構成を可能とし、デザイン性に優れた前面パネルを提供するとともに、開口部を設けることで透明材より安い不透明材での成形を可能とし、コスト増加の抑制を図るものである。
【発明の効果】
【００１０】
本発明の空気調和機の室内ユニットは、長範囲の光可動による表示部構成を可能とし、デザイン性に優れた前面パネルを提供するとともに、光表示部に開口部を設けることで透明材より安い不透明材での成形を可能とし、コスト増加の抑制を図り、この種の室内ユニットの構成を可能にするものである。
【発明を実施するための最良の形態】
【００１１】
第１の発明は、前面パネルに表示材に相対する位置に開口部を設け、前記開口部裏面に透明のシートを貼付け、表面に導光部を設けた飾り台を貼付けたことを特徴とするもので、これにより、長範囲の光可動による表示部構成を可能とし、デザイン性に優れた前面パネルを提供するとともに、開口部を設けることで透明材より安い不透明材での成形を可能とし、コスト増加の抑制を図るものである。
【００１２】
第２の発明は、前面パネルの開口部の裏面に透明シートを貼付けるとともに、透明樹脂で成形した導光材をはめ込み、表面に導光部を設けた飾り台を貼付けたことを特徴とするもので、これにより、開口部の空洞を導光材で埋めるとともに、前記導光材が裏面の透明シートと表面の飾り台にも接着され、表示部の強度アップを図ることができる。
【００１３】
第３の発明は、前面パネルの開口部裏面の透明シートおよび、表面の飾り台の裏面に両面テープを用いて、光を拡散させた事を特徴とするもので、これにより、両面テープが前記透明シートや前記飾り台を前記前面パネルに固定するとともに、両面テープの薄い不織布材が光を拡散させ表面の飾り台を通してやわらかな光で表示をすることができデザイン性の向上を図ることができる。
【００１４】
第４の発明は、前面パネルの開口部裏面の端部に凸リブを設け、その内側に長方形の透明シートを貼付けたことを特徴とするもので、これにより、裏面の透明シートの角にＲ形状をつけなくても、前記透明シートの端部に凸リブがあるので前面パネルの掃除時等に手が触れたとしても前記透明シートの角が手に触れることがない。また、前記透明シートが長方形であるため生産性がよく、前記透明シートのコストも抑制することができる。
【００１５】
以下、本発明の実施の形態について、図面を参照しながら説明する。従来の技術で説明した図７、８と共通の構成要素については同一番号を付して、詳細説明を省略する。なお、この実施の形態によって本発明が限定されるものではない。
【００１６】
（実施の形態１）
図１は本発明の第１の実施の形態における室内ユニットの斜視図である。図２は本発明の第１の実施の形態における室内ユニットの断面図である。図３は本発明の第１の実施の形態における表示部の詳細断面図である。
【００１７】
図１、図２、図３に示すように、前面パネル３の前面における長手方向に表示部５が形成されている。表示部５はＬＥＤ等の表示材４に相対する位置に開口部６を設け、開口部６裏面に透明のシート７を貼付け、表面に導光部を設けた飾り台８を貼付けたことを特徴とするものでこれにより、長範囲の光可動による表示部構成を可能とし、デザイン性に優れた前面パネルを提供するとともに、開口部６を設けることで透明材より安い不透明材での成形を可能とし、コスト増加の抑制を図るものである。
【００１８】
（実施の形態２）
図４は本発明の第２の実施の形態における表示部の詳細断面図である。
【００１９】
図４に示すように、前面パネル３の開口部６の裏面に透明シート７を貼付けるとともに、透明樹脂で成形した導光材９をはめ込み、表面に導光部を設けた飾り台８を貼付けたことを特徴とするもので、これにより、開口部６の空洞を導光材９で埋めるとともに、導光材９が裏面の透明シート７と表面の飾り台８にも接着され、表示部５の強度アップを図ることができる。
【００２０】
（実施の形態３）
図５は本発明の第３の実施の形態における表示部の詳細断面図である。
【００２１】
図５に示すように、前面パネル３の開口部６裏面の透明シート７および、表面の飾り台８の裏面に両面テープ７ａ、８ａを用いて、光を拡散させた事を特徴とするもので、これにより、両面テープ７ａ、８ａが透明シート７や飾り台８を前面パネル３に固定するとともに、両面テープ７ａ、８ａの薄い不織布材が光を拡散させ表面の飾り台７を通してやわらかな光で表示をすることができデザイン性の向上を図ることができる。
【００２２】
（実施の形態４）
図６は本発明の第３の実施の形態における表示部の詳細断面図である。
【００２３】
図６に示すように、前面パネル３の開口部６裏面の端部に凸リブ１０を設け、その内側に長方形の透明シート７を貼付けたことを特徴とするもので、これにより、裏面の透明シート７の角にＲ形状をつけなくても、透明シート７の端部に凸リブ１０があるので前面パネル３の掃除時等に手が触れたとしても透明シート７の角が手に触れることがない。また、透明シート７が長方形であるため生産性がよく、透明シート７のコストも抑制することができる。
【産業上の利用可能性】
【００２４】
以上のように、本発明にかかる空気調和機の室内ユニットは、長範囲の光可動による表示部構成を可能とし、デザイン性に優れた前面パネルを提供するとともに、光表示部に開口部を設けることで透明材より安い不透明材での成形を可能とし、コスト増加の抑制を図ることが可能となるので、各種の室内ユニットの用途にも適用できるものである。
【図面の簡単な説明】
【００２５】
【図１】本発明の実施の形態１における室内ユニットの斜視図
【図２】本発明の実施の形態１における室内ユニットの断面図
【図３】本発明の実施の形態１における表示部の詳細断面図
【図４】本発明の実施の形態２における表示部の詳細断面図
【図５】本発明の実施の形態３における表示部の詳細断面図
【図６】本発明の実施の形態４における表示部の詳細断面図
【図７】従来の空気調和機の室内ユニットの斜視図
【図８】従来の空気調和機の室内ユニットにおける表示部の分解斜視図
【符号の説明】
【００２６】
１  台枠
２  前面枠
３  前面パネル
４  表示材
５  表示部
６  開口部
７  透明シ−ト
８  飾り台
９  導光材
１０  凸リブ
１１  引っ掛け部
１２  爪形状
【図１】
2006266600.tif 000003
【図２】
2006266600.tif 000004
【図３】
2006266600.tif 000005
【図４】
2006266600.tif 000006
【図５】
2006266600.tif 000007
【図６】
2006266600.tif 000008
【図７】
2006266600.tif 000009
【図８】
2006266600.tif 000010